(57)【要約】【課題】照明器具に設けられた電線を挿入するための貫通孔から照明器具内に塵埃などが入った際、発光部に塵埃などが付着しづらいように、十分な空間距離を確保する。【解決手段】ＬＥＤ素子３０を実装した基板３１と、ＬＥＤ素子３０に電力を供給する基板３１上に設けられた配線とＬＥＤ素子３０とを含む充電部３２と、基板３１を収容する器具本体２０と、充電部３２のＬＥＤ素子３０に給電する点灯電源装置７０と、点灯電源装置７０と充電部３２とを電気的に接続する電線６０とを有し、器具本体２０に電線６０を通す貫通孔２５が設けられているＬＥＤ照明器具において、貫通孔２５の器具本体内側口縁２４と充電部３２との間に、器具本体内側口縁２４と充電部３２との間の空間距離を長くするための障壁部５０を設けたことを特徴とする照明器具。【選択図】図２
2014207112.tif 000002
【特許請求の範囲】
【請求項１】
ＬＥＤ素子を実装した基板と、
前記ＬＥＤ素子に電力を供給する前記基板上に設けられた配線と前記ＬＥＤ素子とを含む充電部と、
前記基板を収容する器具本体と、
前記充電部のＬＥＤ素子に給電する点灯電源装置と、
前記点灯電源装置と前記充電部とを電気的に接続する電線とを有し、
前記器具本体に前記電線を通す貫通孔が設けられているＬＥＤ照明器具において、
前記貫通孔の器具本体内側口縁と前記充電部との間に、前記器具本体内側口縁と前記充電部との間の空間距離を長くする障壁部を設けたことを特徴とする照明器具。
【請求項２】
前記器具本体は前記基板が設けられている底壁部と、
前記底壁部の周囲を囲む周壁部とを有した器状であって、
前記貫通孔は、前記底壁部の前記基板と重ならない位置に前記底壁部に略垂直となる方向に貫通しており、
前記障壁部は前記底壁部から突設されていることを特徴とする請求項１記載の照明器具。
【請求項３】
前記障壁部は前記貫通孔に沿って突出した筒状であって、
前記筒状の障壁部の突出先端を前記器具本体内側口縁としたことを特徴とする請求項２記載の照明器具。
【請求項４】
前記器具本体は前記基板が設けられている底壁部と、
前記底壁部の周囲を囲む周壁部とを有した器状であって、
前記貫通孔は、前記周壁部に前記周壁部と略垂直になる方向に貫通しており、
前記障壁部は前記底壁部から突設されていることを特徴とする請求項１記載の照明器具。
【請求項５】
前記空間距離が３０ｍｍ以上となるように前記障壁部を設けたことを特徴とする請求項１〜４のいずれか一項記載の照明器具。
【発明の詳細な説明】
【技術分野】
【０００１】
本発明は、照明器具に関するものである。
【背景技術】
【０００２】
従来より、照明器具１０において、器具本体２０および放熱フィン４０の少なくとも一方にＬＥＤ発光部３０に接続される電線５１を配線する電線配線孔４４を設けることが知られていた（例えば、特許文献１参照、府番も引用文献１参照）。
【先行技術文献】
【特許文献】
【０００３】
【特許文献１】特開２０１２−４８９９６号公報
【発明の概要】
【発明が解決しようとする課題】
【０００４】
しかしながら、前述したような照明器具１０において、照明器具１０の大きさを変更することなく電線配線孔４４の器具本体２０のＬＥＤ発光部３０が設けられた面の開口部からＬＥＤ発光部３０までの空間距離を十分に確保することが困難である。空間距離を確保しようとすると必然的に照明器具１０の大型化、コストアップという問題があった。
【０００５】
本発明は、従来の問題を解決するためになされたもので、器具本体に設けられた貫通孔と発光部との間に障壁を設けることによって、貫通孔と発光部との空間距離を確保するものである。その結果、照明器具の小型化、コストダウンが図れる照明器具を提供することを目的とする。
【課題を解決するための手段】
【０００６】
本発明の照明器具は、ＬＥＤ素子を実装した基板と、ＬＥＤ素子に電力を供給する基板上に設けられた配線とＬＥＤ素子とを含む充電部と、基板を収容する器具本体と、充電部のＬＥＤ素子に給電する点灯電源装置と、点灯電源装置と充電部とを電気的に接続する電線とを有し、器具本体に電線を通す貫通孔が設けられているＬＥＤ照明器具において、貫通孔の器具本体内側口縁と充電部との間に、器具本体内側口縁と充電部との間の空間距離を長くするための障壁部を設けたものである。
【０００７】
また、本発明の照明器具においては、器具本体は基板が設けられている底壁部と、底壁部の周囲を囲む周壁部とを有した器状であって、貫通孔は、底壁部の基板と重ならない位置に底壁部に略垂直となる方向に貫通しており、障壁部は底壁部から突設されたものであってもよい。
【０００８】
また、本発明の照明器具においては、障壁部は貫通孔に沿って突出した筒状であって、筒状の障壁部の突出先端を器具本体内側口縁としたものであってもよい。
【０００９】
また、本発明の照明器具においては、器具本体は基板が設けられている底壁部と、底壁部の周囲を囲む周壁部とを有した器状であって、貫通孔は、周壁部に周壁部と略垂直になる方向に貫通しており、障壁部は底壁部から突設されたものであってもよい。
【００１０】
また、本発明の照明器具においては、空間距離が３０ｍｍ以上となるように障壁部を設けたものであってもよい。
【発明の効果】
【００１１】
本発明は、器具本体に電線を挿入するための貫通孔と、ＬＥＤ発光素子を備えたＬＥＤ基板との間に障壁部を設けることによって、貫通孔とＬＥＤ基板との空間距離を長く保つことが可能となり、貫通孔から器具本体の内部に侵入した塵埃等がＬＥＤ基板に接触しにくくするという効果を有すると共に、照明器具に小型化・コストダウンを可能とする照明器具を提供できる。
【図面の簡単な説明】
【００１２】
【図１】本発明に係る実施形態１における照明器具および点灯電源装置の斜視図
【図２】本発明に係る実施形態１における器具本体を照射方向から見た平面図
【図３】本発明に係る実施形態１における器具本体の斜視図
【図４】本発明に係る実施形態２における器具本体の斜視図
【図５】本発明に係る実施形態３における器具本体の斜視図
【発明を実施するための形態】
【００１３】
（実施形態１）
以下、本発明の実施形態１の照明器具について、図面を用いて説明する。
図１、２に示すように、本発明に係る実施形態１の照明器具１０は、天井に設けられた取付孔に埋設して下方を照射するダウンライトとして用いることができる。照明器具１０は、器具本体２０と、器具本体２０に収容された光源であるＬＥＤ素子３０と、放熱部４０と点灯電源装置７０を有する。
【００１４】
器具本体２０は、絶縁性を有する硬質な樹脂材料からなる周壁部２１と底壁部２２により有底円筒形状に形成されており、照射方向側（図１においては、下方）に開口した器状である。周壁部２１の照射方向側には、リング状の鍔部材２６が設けられており、器具本体２０を天井に取り付けた際、天井の下面に当接して露出する。周壁部２１の外周面には、複数の取付けばね２３が所定間隔で取り付けられている。この取付けばね２３は、器具本体２０を天井に取り付けた際、天井面との固定に使用される。図１に示す、取付けばね２３の設置個数は一例示であって、これに限られるものではない。また、周壁部２１の外周面には、上側に放熱部４０を取り付けるために放熱部取付部（図示せず）が所定間隔で設けられている。
【００１５】
図２は器具本体２０を照射方向側から見た際の平面図である。図２に示すように、ＬＥＤ素子３０は器具本体２０の内側に収容されるものであり、基板３１に実装されている。ＬＥＤ素子３０の具体的な構成は図示していないが、基板３１にＬＥＤチップ（図示せず）を実装し、レンズ（図示せず）で覆ったものが考えられる。このレンズの組成には蛍光樹脂が含まれてもよい。また、基板３１にはＬＥＤ素子３０に電力を供給するための配線が施されており、この配線全てとＬＥＤ素子３０を含める部分を充電部３２とする。
【００１６】
図１、２に示すように、点灯電源装置７０と照明器具１０は電線６０によって接続されている。電線６０は、点灯電源装置７０と充電部３２を電気的に接続し、ＬＥＤ素子３０に電力を供給するものである。また、電線６０は器具本体２０の底壁部２２に設けられた貫通孔２５を通ることによって、器具本体２０の内部に引き込まれている。この貫通孔２５は基板３１と重ならない位置に設けられている。
【００１７】
図３に示すように、器具本体２０の基板３１が設置されている面である底壁部２２には、障壁部５０が設けられている。障壁部５０は、貫通孔２５の器具本体２０の内側の開口部分である器具本体内側口縁２４と充電部３２との間に設けられている。このように、器具本体内側口縁２４と充電部３２との間に設けることで、器具本体内側口縁２４と充電部３２の空間距離を長く保つことが可能となる。ここでいう空間距離とは、２つの導電性部
分間の空間を通る最短距離のことであって、最低限必要な空間距離に関しては電気安全法によって定められている。
【００１８】
ここで、具体的に障壁部５０について説明する。障壁部５０は底壁部２２と略垂直に設けられており、照射方向からみると、弧を描くような形状となっている。このような形状を採用することで、器具本体内側口縁２４と充電部３２との間の空間を通る最短距離が長くなる。その結果、器具本体２０の大きさを変更することなく、空間距離を長くすることが可能となる。
【００１９】
また、障壁部５０の底壁部２２を基準とした高さについて述べる。図３には、障壁部５０と周壁部２１の底壁部２２を基準とした高さは等しく表されているが、高さを等しく保つものに限られるものではない。例えば、障壁部５０が周壁部２１よりも低く設定されていてもよい。このように障壁部５０の高さを低くすることで、器具本体２０に装着された光源を守るためのカバー（図示せず）と、障壁部５０との間に隙間ができる。たとえ、この隙間ができたとしても、器具本体内側口縁２４と充電部３２との間の空間を通る最短距離は、障壁部５０が設けられていない場合よりも長く設計することが可能である。すなわち、底壁部２２に対し、障壁部５０が少しでも凸形状を有していれば効果を奏することが可能となる。
【００２０】
また、上記では弧を描くような形状となっている障壁部５０について説明したが、障壁部５０の形状についてはこれに限られるものではない。例えば、直線形状であってもよいし、三辺を辺で囲まれたコの字状であってもよい。
【００２１】
また、器具本体内側口縁２４から充電部３２までの空間距離（空間を通る最短距離）が３０ｍｍ以上あることが好ましい。この３０ｍｍという長さは電気商品安全法によって定められた規格である。器具本体２０に設けられた貫通孔２５から器具本体２０の内部に塵埃などが入り込む恐れがあり、充電部３２に塵埃などが付着した際、短絡等の故障の原因になる。これらの不具合を避けるため、器具本体内側口縁２４から充電部３２までには、一定の距離を設けることが求められている。
（実施形態２）
以下、実施形態２について、実施形態１と相違する部分について説明する。実施形態１と同一部分に関しては、説明を省略する。
【００２２】
図４に示すように、障壁部５０は貫通孔２５に沿って基板３１の設置面側に突出した筒２８であり、底壁部２２に対し略垂直に備えられている。この筒２８の突出先端が器具本体内側口縁２４となる。このように筒２８の突出先端を器具本体内側口縁２４とすることで、充電部３２と器具本体内側口縁２４に高低差を設けることが可能となる。すなわち、高さ方向の領域を活用することで空間距離を長くすることが可能となる。その結果、照明器具１０の大きさを変更することなく、空間距離を長くすることが可能となる。なお、貫通孔２５と筒２８の直径に関しては同一でなくてもよい。たとえば、貫通孔２５の直径よりも筒２８の直径のほうが大きくてもよい。
【００２３】
また、図４においては筒２８と周壁部２１の高さは、底壁部２２を基準とした高さと等しく示しているが、これに限られるものではない。例えば、筒２８の方が、周壁部２１の高さよりも低くても空間距離を長くするための効果は生ずる。
【００２４】
また、筒２８の形状については、突出先端へ進むほど径が細くなる形状であっても、もしくは、径が太くなる形状であってもよい。どちらの形状を採用したとしても器具本体内側口縁２４と充電部３２との空間距離を長くすることが可能である。
（実施形態３）
以下、実施形態３について説明をする。実施形態２または実施形態３と同一部分に関しては同一符号を付すことによって説明を省略する。
【００２５】
図５に示すように、貫通孔２５は周壁部２１に対し垂直になるよう貫通されている。このような位置に貫通孔２５を設けることで、器具本体２０の側面から電線６０を器具本体２０の内側に挿入することが可能となる。その結果、照明器具１０と天井との隙間に限りがあるような場所においても照明器具１０を設置することが可能となる。
【００２６】
また、障壁部５０は底壁部２２に略垂直に設けられており、貫通孔２５と充電部３２との間に設けられている。貫通孔２５と充電部３２との間に障壁部５０を設けることによって、貫通孔２５の器具本体内側口縁２４から貫通孔２５の空間距離を長くすることができる。
【００２７】
障壁部５０の形状については、図５に示すような周壁部２１にそった弧を描く厚みをもった形状であってもよいが、この形状に限定されるものではない。たとえば、弧を描かず直線形状であってもよい。
【産業上の利用可能性】
【００２８】
本発明は、天井付けＬＥＤライトへの利用が可能である。
【符号の説明】
【００２９】
１０  照明器具
２０  器具本体
２１  周壁部
２２  底壁部
２３  取付けばね
２４  器具本体内側口縁
２５  貫通孔
２６  鍔部材
２８  筒
３０  ＬＥＤ素子
３２  充電部
３１  基板
４０  放熱部
５０  障壁部
６０  電線
７０  点灯電源装置
【図１】
2014207112.tif 000003
【図２】
2014207112.tif 000004
【図３】
2014207112.tif 000005
【図４】
2014207112.tif 000006
【図５】
2014207112.tif 000007